(57)【要約】【課題】ユニットの機能を停止させる回路遮断装置を提供する。【解決手段】電子制御ユニットの回路基板２０上に設けられた２つの接点部２２ａ、２２ｂと、２つの接点部を覆う部分の中間部に開口部３を有した保護フレーム１０と、導電体１２の両端を電極部１２ａ、１２ｂとして露出させ、通常時は、接点部に電極部が接合された状態で回路基板と保護フレームとの間に挟まれ、非常時は、２つの接点部のいずれか一方から電極部が剥離されることで、２つの接点部の接続を遮断し、その上で、剥離側の端部が保護フレームと回路基板の間から抜かれて、保護フレーム上に載った状態で保持される可撓性接続片１０と、を具備し、可撓性接続片の中間の湾曲部１０ｐが、開口部から保護フレーム上側に引き出されている。【選択図】図１
2009076367.tif 000002
【特許請求の範囲】
【請求項１】
電子制御ユニットの回路基板上に互いに離間して設けられた第１、第２の２つの接点部と、
前記２つの接点部の上面を覆うように配されて前記回路基板に固定されると共に、前記２つの接点部を覆う部分の中間部に開口部を有した絶縁材料製の保護フレームと、
絶縁被覆が施された導電体を含み、該導電体の両端を電極部として露出させた柔軟な部材よりなり、通常時は、前記２つの接点部に両端の電極部が接合された状態で前記回路基板と保護フレームとの間に挟まれることにより、前記２つの接点部を相互接続しており、非常時は、前記２つの接点部のいずれか一方から一端側の電極部が剥離されることで、２つの接点部の接続を遮断し、その上で、剥離側の端部が前記保護フレームと回路基板の間から抜かれて、前記保護フレームの開口部から外に引き出されることにより、保護フレーム上に載った状態で保持される可撓性接続片と、
を具備することを特徴とする電子制御ユニットの回路遮断装置。
【請求項２】
請求項１に記載の電子制御ユニットの回路遮断装置であって、
前記電極部の剥離される接点部が、前記電子制御ユニット外の回路と接続された接点部であることを特徴とする電子制御ユニットの回路遮断装置。
【請求項３】
請求項１または２に記載の電子制御ユニットの回路遮断装置であって、
前記可撓性接続片の剥離側の電極部と接点部との接合面積を、反対側の電極部と接点部との接合面積よりも小さく設定したことを特徴とする電子制御ユニットの回路遮断装置。
【請求項４】
請求項１〜３のいずれか１項に記載の電子制御ユニットの回路遮断装置であって、
前記可撓性接続片の剥離側の端部とは反対側の端部を、該端部側の電極部と接点部とを接合したものと別の固定手段により回路基板または保護フレームに固定したことを特徴とする電子制御ユニットの回路遮断装置。
【請求項５】
請求項１〜４のいずれか１項に記載の電子制御ユニットの回路遮断装置であって、
前記可撓性接続片の中間部を湾曲させて弛ませ、その湾曲部を、前記保護フレームの開口部から保護フレームの上側に引き出したことを特徴とする電子制御ユニットの回路遮断装置。
【請求項６】
請求項５に記載の電子制御ユニットの回路遮断装置であって、
前記保護フレームの開口部から該保護フレームの上側に引き出した前記可撓性接続片の湾曲部に、該湾曲部を上に持ち上げる際に把持するための引抜治具を取り付けたことを特徴とする電子制御ユニットの回路遮断装置。
【請求項７】
請求項１〜４のいずれか１項に記載の電子制御ユニットの回路遮断装置であって、
前記回路基板に、該回路基板上の２つの接点部の間に位置させて、前記保護フレームの開口部と重なる開口部を設け、その回路基板の開口部を跨ぐように、前記可撓性接続片を前記２つの接点部の間に張り渡したことを特徴とする電子制御ユニットの回路遮断装置。
【発明の詳細な説明】
【技術分野】
【０００１】
本発明は、例えば車載された電子制御ユニットが故障した場合に、恒久的にユニットの機能を停止させることのできる電子制御ユニットの回路遮断装置に関するものである。
【背景技術】
【０００２】
自動車には種々の電子制御ユニットが搭載されている。例えば、特許文献１には、ワイヤーハーネスの途中に接続された電子制御ユニットが開示されている。このような自動車に搭載された電子制御ユニッに故障が生じた場合、その故障したユニットを取り外して、新しいものと交換するのが一般的であるが、車載用の制御機器の中には、特許文献１に記載された電子制御ユニットのように、ユニットとワイヤーハーネスの接続を圧接や半田付けなどで行っている関係から、一旦ユニットを取り外してしまうと、新しいユニットを同じ位置に取り付けることができないものがあった。
【特許文献１】特開２０００−２５１９６６号公報
【発明の開示】
【発明が解決しようとする課題】
【０００３】
このような場合は、故障したユニットを取り外した上で、新しいユニットを別の箇所に取り付けているが、ユニットを取り外した側の電線の後処理が問題となることがあった。つまり、故障したユニットを取り外した場合には、その後に電線が剥き出しの状態で残されることになるので、取り外した部分の電線の端末をテープ巻きしたりして絶縁保護する必要があるが、その処置が意外と面倒であった。また、手が届かないなどの作業上の制約から、ユニットの取り外しが困難な場合もあり、そのような場合にも対処できるようにすることが望まれていた。
【０００４】
本発明は、上記事情を考慮し、ユニットを敢えて取り外さなくても、その機能を恒久的に停止させることのできる電子制御ユニットの回路遮断装置を提供することを目的とする。
【課題を解決するための手段】
【０００５】
請求項１の発明の電子制御ユニットの回路遮断装置は、電子制御ユニットの回路基板上に互いに離間して設けられた第１、第２の２つの接点部と、前記２つの接点部の上面を覆うように配されて前記回路基板に固定されると共に、前記２つの接点部を覆う部分の中間部に開口部を有した絶縁材料製の保護フレームと、絶縁被覆が施された導電体を含み、該導電体の両端を電極部として露出させた柔軟な部材よりなり、通常時は、前記２つの接点部に両端の電極部が接合された状態で前記回路基板と保護フレームとの間に挟まれることにより、前記２つの接点部を相互接続しており、非常時は、前記２つの接点部のいずれか一方から一端側の電極部が剥離されることで、２つの接点部の接続を遮断し、その上で、剥離側の端部が前記保護フレームと回路基板の間から抜かれて、前記保護フレームの開口部から外に引き出されることにより、保護フレーム上に載った状態で保持される可撓性接続片と、を具備することを特徴とする。
【０００６】
請求項２の発明は、請求項１に記載の電子制御ユニットの回路遮断装置であって、前記電極部の剥離される接点部が、前記電子制御ユニット外の回路と接続された接点部であることを特徴とする。
【０００７】
請求項３の発明は、請求項１または２に記載の電子制御ユニットの回路遮断装置であって、前記可撓性接続片の剥離側の電極部と接点部との接合面積を、反対側の電極部と接点部との接合面積よりも小さく設定したことを特徴とする電子制御ユニットの回路遮断装置。
【０００８】
請求項４の発明は、請求項１〜３のいずれか１項に記載の電子制御ユニットの回路遮断装置であって、前記可撓性接続片の剥離側の端部とは反対側の端部を、該端部側の電極部と接点部とを接合したものと別の固定手段により回路基板または保護フレームに固定したことを特徴とする。
【０００９】
請求項５の発明は、請求項１〜４のいずれか１項に記載の電子制御ユニットの回路遮断装置であって、前記可撓性接続片の中間部を湾曲させて弛ませ、その湾曲部を、前記保護フレームの開口部から保護フレームの上側に引き出したことを特徴とする。
【００１０】
請求項６の発明は、請求項５に記載の電子制御ユニットの回路遮断装置であって、前記保護フレームの開口部から該保護フレームの上側に引き出した前記可撓性接続片の湾曲部に、該湾曲部を上に持ち上げる際に把持するための引抜治具を取り付けたことを特徴とする。
【００１１】
請求項７の発明は、請求項１〜４のいずれか１項に記載の電子制御ユニットの回路遮断装置であって、前記回路基板に、該回路基板上の２つの接点部の間に位置させて、前記保護フレームの開口部と重なる開口部を設け、その回路基板の開口部を跨ぐように、前記可撓性接続片を前記２つの接点部の間に張り渡したことを特徴とする。
【発明の効果】
【００１２】
請求項１の発明によれば、可撓性接続片の一端側の電極部を接点部から剥離することにより、第１、第２の接点部間の接続を遮断することができ、ユニットを敢えて取り外さなくても、ユニットの機能を停止させることができる。また、その上で、可撓性接続片の剥離側の端部を、保護フレーム上に載せて保持することができるので、振動等の何らかの外的要因で再び接点部と電極部が接触導通することを確実に防止することができ、ユニットを恒久的に機能停止させておくことができる。また、回路基板上の接点部は、保護フレームで覆ったままに保持されるので、テープ巻きなどの後処理をしないでも、容易に安全性を確保することができる。
【００１３】
請求項２の発明によれば、電子制御ユニット外の回路が電源回路である場合にも、可撓性接続片が剥離された後で、その接点部が確実に保護フレームによって保護されるから、安全性が高まる。
【００１４】
請求項３の発明によれば、剥離側の電極部の接合面積を反対側よりも小さく設定したので、同じ力を加えて可撓性接続片を引っ張ったときに、その接合面積の小さい側の電極部を確実に剥離させることができる。
【００１５】
請求項４の発明によれば、剥離側の端部とは反対側の端部を固定手段により固定したので、予め決めておいた剥離側の電極部を確実に剥離させることができる。
【００１６】
請求項５の発明によれば、保護フレームの上側に引き出されている湾曲部を上に強く引っ張ることで、容易に可撓性接続片の一方側の電極部を接点部から引き剥がすことができ、その上で、引き剥がした端部側を保護フレームの上に引き出すことができる。
【００１７】
請求項６の発明によれば、引抜治具を持って引き上げることにより、特別な工具を用いることなく、容易に可撓性接続片の一方側の電極部を接点部から引き剥がして、引き剥がした端部側を保護フレームの上に引き出すことができる。
【００１８】
請求項７の発明によれば、回路基板側にも開口部を設けたので、回路基板の下側から可撓性接続片の中間部を押し上げることにより、可撓性接続片の一方側の電極部を接点部から引き剥がすことができて、その引き剥がした端部を保護フレームの上側に引き出すことができる。また、保護フレームの上側から、例えば先端にＬ字形のフックの付いた治具を可撓性接続片と保護フレームの隙間を通して挿入し、可撓性接続片の下側に挿入した段階でフックを回転させて、フックを可撓性接続片の下側に位置決めし、その状態で治具を持ち上げることにより、弛みなく張った状態の可撓性接続片であっても、可撓性接続片をフックで引き上げることができ、それにより、可撓性接続片の一方側の電極部を接点部から引き剥がすことができて、その引き剥がした端部を保護フレームの上側に引き出すことができる。つまり、可撓性接続片が弛みなく張られている場合であっても、その下側の回路基板に開口部があいていることにより、その開口部にフックを挿入することができ、そのフックにより可撓性接続片を引き上げることができる。従って、可撓性接続片に敢えて湾曲部を設けておかなくてもよくなる。
【発明を実施するための最良の形態】
【００１９】
以下、本発明の実施形態を図面を参照して説明する。
【００２０】
図１は第１実施形態の電子制御ユニットの回路遮断装置の構成を示す図で、（ａ）は保護フレームと可撓性接続片を組み合わせた部分の構成を示す斜視図、（ｂ）は回路遮断装置の全体構成を示す側断面図、（ｃ）は可撓性接続片の下面図、図２は回路を遮断した時の回路遮断装置の全体構成を示す側断面図である。
【００２１】
この回路遮断装置は、図１に示すように、電子制御ユニットの回路基板２０上に互いに離間して設けられ、一方がユニット外の回路と接続され、他方がユニット内の回路と接続された第１、第２の２つの接点部２２ａ、２２ｂと、これら２つの接点部２２ａ、２２ｂの上面を覆うように配されて回路基板２０に固定されると共に、２つの接点部２２ａ、２２ｂを覆う部分の中間部に開口部３を有した絶縁材料製のロ字形の保護フレーム１と、絶縁被覆１１が施された導電体１２を含み、該導電体１２の両端を電極部１２ａ、１２ｂとして露出させた柔軟な部材よりなり、通常時は、前記２つの接点部２２ａ、２２ｂに両端の電極部１２ａ、１２ｂが半田付けや超音波溶着接合等により接合された状態で回路基板２０と保護フレーム１との間に挟まれることにより、前記２つの接点部２２ａ、２２ｂを相互接続しており、非常時は、前記２つの接点部２２ａ、２２ｂのいずれか一方（本例では接点部２２ａ）から一端側の電極部１２ａが剥離されることで、２つの接点部２２ａ、２２ｂの接続を遮断し、その上で、図２に示すように、剥離側の端部が保護フレーム１と回路基板２０の間から抜かれて、保護フレーム１の開口部３から外に引き出されることにより、保護フレーム１上に載った状態で保持される可撓性接続片１０と、から構成されている。
【００２２】
保護フレーム１は、回路切断操作後に再度間違って回路が接続されることを防ぐための保護部材であり、回路基板２０に設けた係止孔２１に自身の下面に設けた係止突起２を係合させることにより、回路基板２０上に固定されている。可撓性接続片１０は、ＦＰＣ（フレキシブル・プリント基板）等の柔軟な配線材よりなるもので、図１（ｃ）に示すように、絶縁被覆１１として設けられたフィルムの下面の開口１３ａ、１３ｂから導電体１２の両端を露出させており、その露出させた部分を電極部１２ａ、１２ｂとしている。そして、その露出した電極部１２ａ、１２ｂが、回路基板２０側の接点部２２ａ、２２ｂに半田付けや超音波接合により接合されている。
【００２３】
電極部１２ａ、１２ｂを露出させている開口１３ａ、１３ｂの大きさは、一方側と他方側で異なっており、一方側の開口１２ａは他方側の開口１２ｂよりも小さく形成され、これにより、一方側の電極部１２ａが他方側の電極部１２ｂより面積が小さくなっている。そして、電極部１２ａ、１２ｂの面積の大小に応じて、接点部２２ａ、２２ｂとの接合面積が、一方側の方が他方側よりも小さくなっている。従って、同じ力で可撓性接続片１０を引き剥がそうとした場合、接合面積が小さい方が剥がれやすいので、その接合面積の小さい側（接点部２２ａと電極部１２ａによる接合側）が剥離側、接合面積の大きい側（接点部２２ｂと電極部１２ｂによる接合側）が固定側（非剥離側）となっている。
【００２４】
ここでは、剥離側の接点部２２ａがユニット外の回路、例えば電源回路と接続され、固定側の接点部２２ｂがユニット内の回路（負荷側回路）と接続されている。
【００２５】
また、可撓性接続片１０は、その中間部を湾曲させてΩ形に弛ませてあり、その湾曲部１０ｐを、保護フレーム１の開口部３から保護フレーム１の上面側に引き出した状態で取り付けてある。
【００２６】
次に作用を説明する。
【００２７】
通常時は、可撓性接続片１０により２つの接点部２２ａ、２２ｂが接続されているので、ユニットに２つの接点部２２ａ、２２ｂ及び可撓性接続片１０を介して電源回路から電流が供給され、それにより、ユニットが動作する。
【００２８】
ユニットが故障した場合（非常時）には、保護フレーム１の上面に飛び出した可撓性接続片１０の湾曲部１０ｐを持ち上げるなどして、一端側の電極部１２ａを接点部２２ａから引き剥がす。そして、図２に示すように、剥がした可撓性接続片１０の一端部を保護フレーム１の上に引き上げる。そうすると、２つの接点部２２ａ、２２ｂの導通が断たれることで、ユニット外の回路とユニット内の回路の接続が遮断され、ユニットが機能停止させられる。また、その上で、可撓性接続片１０の剥離側の端部が保護フレーム１上に保持されるので、振動等の何らかの外的要因で再び接点部２２ａと電極部１２ａが接触導通することが確実に防止される。従って、ユニットを敢えて取り外さなくても、ユニットを恒久的に機能停止させておくことができる。
【００２９】
また、回路基板２０上の接点部２２ａ、２２ｂは、保護フレーム１で覆ったままに保持されるので、テープ巻きなどの後処理をしないでも、容易に安全性を確保することができる。特に、接点部２２ａに接続されたユニット外の回路が電源回路である場合にも、可撓性接続片１０が剥離された後で、その接点部２２ａが確実に保護フレーム１によって保護されるから、安全性が保証される。
【００３０】
このように可撓性接続片１０を回路基板２０から剥離させる場合、剥離側の電極部２２ａの接合面積を固定側の電極部２２ｂの接合面積よりも小さく設定してあるので、同じ力を加えて可撓性接続片１０を引っ張ったときに、その接合面積の小さい側の電極部２２ａを確実に剥離させることができる。また、可撓性接続片１０の中間部に湾曲部１０ｐを設けて、その湾曲部１０ｐを手で持って可撓性接続片１０を上に引っ張れるようにしているので、可撓性接続片１０の引き剥がしを容易に行うことができる。
【００３１】
なお、図３に示す第２実施形態の回路遮断装置のように、湾曲部１０ｐに、該湾曲部１０ｐを上に持ち上げる際に把持するための引抜治具（引抜タブ）３０を取り付ければ、引抜治具３０を持って引き上げることにより、特別な工具を用いることなく、容易に可撓性接続片１０の一方側の電極部１２ａを接点部２２ａから引き剥がして、引き剥がした端部側を保護フレーム１の上に引き出すことができる。この際、引抜治具３０にスリット３１を設け、そのスリット３１に可撓性接続片１０を挿通させるだけで、引抜治具３０を簡単に可撓性接続片１０の湾曲部１０ｐに装着することができる。
【００３２】
図４は本発明の第３実施形態の回路遮断装置の構成を示す図で、（ａ）は側断面図、（ｂ）は回路基板の下面側から見た図である。
【００３３】
この回路遮断装置では、回路基板２０Ｂの第１の接点部２２ａと第２の接点部２２ｂの間に、保護フレーム１の開口部３と重なる開口部２５を設けている。そして、その回路基板２０の開口部２５を跨ぐように、可撓性接続片１０Ｂを２つの接点部２２ａ、２２ｂの間に弛みなく張り渡している。それ以外の構成は図１の第１実施形態と同じであるので、説明は省略する。
【００３４】
このように回路基板２０Ｂ側にも開口部２５を設けた場合、回路基板２０の下側から可撓性接続片１０Ｂの中間部を押し上げることにより、可撓性接続片１０Ｂの一方側の電極部１２ａを接点部２２ａから引き剥がすことができて、その引き剥がした端部を保護フレーム１の上側に引き出すことができる。
【００３５】
また、保護フレーム１の上側から、図６に示すように、棒１０２の先にＬ字形のフック１０３を付けた治具１００の先端を、可撓性接続片１０Ｂと保護フレーム１の隙間を通して挿入し、可撓性接続片１０の下側にフック１０３を挿入した段階でフック１０３を９０度回転させて、フック１０３を可撓性接続片１０Ｂの下側に位置決めし、その状態で取っ手１０１を持って治具１００を持ち上げることにより、弛みなく張った状態の可撓性接続片１０Ｂであっても、可撓性接続片１０Ｂをフック１０３で引き上げることができ、それにより、可撓性接続片１０Ｂの一方側の電極部１２ａを接点部２２ａから引き剥がすことができて、その引き剥がした端部を保護フレーム１の上側に引き出すことができる。
【００３６】
つまり、可撓性接続片１０Ｂが弛みなく張られている場合であっても、その下側の回路基板２０に開口部２５があいていることにより、その開口部２５にフック１０３を挿入することができるので、そのフック１０３によって可撓性接続片１０Ｂを引き上げることができる。従って、図１の第１実施形態のように可撓性接続片１０Ｂに敢えて湾曲部１０ｐ（図１参照）を設けておかなくてもよくなる。
【００３７】
この実施形態の回路遮断装置は、保護フレーム１の上部に予め広いスペースを確保することができない場合に対応可能である。なお、図６の治具１００は、第１実施形態の回路遮断装置に対しても適用可能である。
【００３８】
なお、上記実施形態では、電極部１２ａ、１２ｂと接点部２２ａ、２２ｂの接合面積を違えることで、可撓性接続片１０、１０Ｂの剥離側を決めていたが、より確実に剥離側を決めるためには、可撓性接続片１０、１０Ｂの固定側の端部を、電極部１２ｂと接点部２２ｂの接合とは別の固定手段により固定しておくのがよい。
【００３９】
例えば、図５に示す第４実施形態の回路遮断装置に使用する可撓性接続片１０Ｃには、固定側の端部の両側に張り出し部１８が設けられており、それら張り出し部１８に係止孔１９が設けられている。そして、保護フレーム１の下面に設けた係止突起２を回路基板２０の係止孔２１に係合させる際に、同時に、可撓性接続片１０Ｃの係止孔１９に挿通させるようにしている。
【００４０】
このように可撓性接続片１０の係止孔１９に保護フレーム１の係止突起２を挿通させた場合、可撓性接続片１０Ｃの端部を保護フレーム１と回路基板２０との間から引き抜けないように確実に固定しておくことができる。従って、剥離側に対し確実に固定側を決めることができる。この場合は、係止孔１９と、係止突起２が固定手段に相当する。
【００４１】
なお、上記実施形態では、第１の接点部２２ａがユニット外の回路と接続され、第２の接点部２２ｂがユニット内の回路と接続されているとしたが、本発明は同一回路上のどのこの箇所にも適用でき、ユニット内外部の回路に限るものではない。
【００４２】
また、本発明の回路遮断装置は、必ずしもユニット内外を接続する部分に直接置かれるだけでなく、他の電子部品を介して置かれる場合もあり、また、内部の回路の一部を本遮断装置で切断して機能を停止する構成とすることもできる。
【図面の簡単な説明】
【００４３】
【図１】本発明の第１実施形態の電子制御ユニットの回路遮断装置の構成を示す図で、（ａ）は保護フレームと可撓性接続片を組み合わせた部分の構成を示す斜視図、（ｂ）は回路遮断装置の全体構成を示す側断面図、（ｃ）は可撓性接続片の下面図である。
【図２】回路を遮断した時の同回路遮断装置の全体構成を示す側断面図である。
【図３】本発明の第２実施形態の構成図で、保護フレームと可撓性接続片を組み合わせた部分の構成を示す斜視図である。
【図４】本発明の第３実施形態の構成図で、（ａ）は側断面図、（ｂ）は回路基板の下面側から見た図である。
【図５】本発明の第４実施形態に使用する可撓性接続片の下面図である。
【図６】可撓性接続片を引き剥がすための治具の斜視図である。
【符号の説明】
【００４４】
１  保護フレーム
２  係止突起（固定手段）
３  開口部
１０，１０Ｂ，１０Ｃ  可撓性接続片
１０ｐ  湾曲部
１１  絶縁被覆
１２ａ  第１の電極部
１２ｂ  第２の電極部
１９  係止孔（固定手段）
２０，２０Ｂ  回路基板
２２ａ  第１の接点部
２２ｂ  第２の接点部
２５  開口部
３０  引抜治具
１００  治具
１０３  フック
【図１】
2009076367.tif 000003
【図２】
2009076367.tif 000004
【図３】
2009076367.tif 000005
【図４】
2009076367.tif 000006
【図５】
2009076367.tif 000007
【図６】
2009076367.tif 000008